(57)【要約】      （修正有）【課題】着用者の唾の飛散を有効に防止することが可能であり、着用者は、順調に呼吸することが可能であり、はっきりと話すことが可能であり、生産が容易となり、生産コストを減少させることが可能なマスクを提供する。【解決手段】一体成形されるフレキシブルシート２を含み、フレキシブルシート２は、第１面と、第１面の反対側に位置する第２面と、を有し、第１面には、突出するように設けられている、着用者の顎の前側に当接する押付部２３と、着用者の顎の下側に当接する保持部２４と、が設けられており、保持部２４の第１面から突出する長さは、押付部２３の第１面から突出する長さよりも長く、押付部２３は、第２面へ開口する第１開口を含み、保持部は、第２面へ開口する第２開口を含み、フレキシブルシート２は、更に、二つの組付け部２５を含み、二つの組付け部２５は、それぞれ押付部２３と保持部２４の両側に位置する。【選択図】図１
0003195913.tif 000002
【実用新案登録請求の範囲】
【請求項１】
一体成形されるフレキシブルシートを含み、前記フレキシブルシートは、第１面と、前記第１面の反対側に位置する第２面と、を有し、前記第１面には、突出するように設けられている、着用者の顎の前側に当接する押付部と、着用者の顎の下側に当接する保持部と、が設けられており、前記保持部の前記第１面から突出する長さは、前記押付部の前記第１面から突出する長さよりも長く、前記押付部は、前記第２面へ開口する第１開口を含み、前記保持部は、前記第２面へ開口する第２開口を含み、前記フレキシブルシートは、更に、二つの組付け部を含み、前記二つの組付け部は、それぞれ前記押付部と前記保持部の両側に位置することを特徴とするマスク。
【請求項２】
前記押付部の長手方向の長さは、前記保持部の長手方向の長さよりも大きく、前記押付部は、前記押付部の両端に位置する二つの凸部と、前記二つの凸部の間に位置する凹部と、を含み、前記凹部はほぼ円弧形を呈することを特徴とする、請求項１に記載のマスク。
【請求項３】
前記各組付け部は穿孔を含み、前記各組付け部には、更に、着用者の耳に掛けるための着用具が組み付けられていることを特徴とする、請求項１に記載のマスク。
【請求項４】
前記フレキシブルシートは、透明であり、弾性を有し、外力が加えられる前にほぼ平板状を呈することを特徴とする、請求項１に記載のマスク。
【請求項５】
前記各組付け部は、穿孔と、前記穿孔を囲む第１凹凸構造と、を含むことを特徴とする、請求項１に記載のマスク。
【請求項６】
前記フレキシブルシートは、更に、少なくとも前記二つの組付け部と前記押付部の間に横方向に沿って延びる第２凹凸構造と、前記保持部を囲む第３凹凸構造と、を含むことを特徴とする、請求項１に記載のマスク。
【請求項７】
前記フレキシブルシートは、更に、前記第３凹凸構造に対して斜めに設けられている第４凹凸構造を含み、前記第４凹凸構造は、前記第３凹凸構造の両側に設けられており、前記二つの組付け部と前記保持部の間に位置し、前記フレキシブルシートは、更に、前記押付部と前記保持部の間に横方向に沿って延びる折り皺を含むことを特徴とする、請求項６に記載のマスク。
【考案の詳細な説明】
【技術分野】
【０００１】
本考案は、マスクに関し、特に、唾の飛散を防止可能なマスクに関するものである。
【背景技術】
【０００２】
市販しているマスクは、木綿で作製され、着用者の口及び鼻をカバーし、弾性付きバンドにより着用者の耳に掛ける。これにより、着用者の唾の飛散を防止することが可能であり、病毒又は細菌が唾の飛散を介して他人に伝染することを防止可能である。しかし、このようなマスクは、着用者の口及び鼻を完全にカバーするため、着用者が長時間に着用すると、居心地が悪くなり、順調に呼吸することもできず、着用者がはっきり話すことができない問題がある。このため、飲食業の従業員はこのようなマスクを着用すると不便である。このような問題を解決するために、特許文献１の台湾実用新案Ｍ４３８９１５号が提案された。台湾実用新案Ｍ４３８９１５号のマスクは、着用者の口及び鼻を完全にカバーしないマスクである。
【０００３】
しかし、このようなマスクは、止めシートと、枠と、から構成され、着用者の口及び鼻を完全にカバーしないが、前記止めシートと前記枠を別々に作製することが必要なため、生産コストが増加する。そして前記止めシートと前記枠が別々に作製されて組付けるため、このようなマスクを着用して作業しているときに、前記止めシートと前記枠が互いに分離することがあり、着用者の作業効率及び品質が影響される。
【先行技術文献】
【特許文献】
【０００４】
【特許文献１】台湾実用新案Ｍ４３８９１５号公報
【考案の概要】
【考案が解決しようとする課題】
【０００５】
本考案の主な目的は、着用者の唾の飛散を有効に防止することが可能であり、着用者の口及び鼻を完全にカバーしないため、着用者は、順調に呼吸することが可能であり、はっきりと話すことが可能であり、長時間に着用しても居心地が良く、一体成形されるものであるため、生産が容易となり、生産コストを減少することが可能なマスクを提供することにある。
【課題を解決するための手段】
【０００６】
本考案のマスクによると、一体成形されるフレキシブルシートを含み、フレキシブルシートは、第１面と、第１面の反対側に位置する第２面と、を有し、第１面には、突出するように設けられている、着用者の顎の前側に当接する押付部と、着用者の顎の下側に当接する保持部と、が設けられており、保持部の第１面から突出する長さは、押付部の第１面から突出する長さよりも長く、押付部は、第２面へ開口する第１開口を含み、保持部は、第２面へ開口する第２開口を含み、フレキシブルシートは、更に、二つの組付け部を含み、二つの組付け部は、それぞれ押付部と保持部の両側に位置することを特徴とする。
【０００７】
本考案のマスクによると、押付部の長手方向の長さは、保持部の長手方向の長さよりも大きく、押付部は、押付部の両端に位置する二つの凸部と、二つの凸部の間に位置する凹部と、を含み、凹部はほぼ円弧形を呈することを特徴とする。
【０００８】
本考案のマスクによると、各組付け部は穿孔を含み、各組付け部には、更に、着用者の耳に掛けるための着用具が組み付けられていることを特徴とする。
【０００９】
本考案のマスクによると、フレキシブルシートは、透明であり、弾性を有し、外力が加えられる前にほぼ平板状を呈することを特徴とする。
【００１０】
本考案のマスクによると、各組付け部は、穿孔と、穿孔を囲む第１凹凸構造と、を含むことを特徴とする。
【００１１】
本考案のマスクによると、フレキシブルシートは、更に、少なくとも二つの組付け部と押付部の間に横方向に沿って延びる第２凹凸構造と、保持部を囲む第３凹凸構造と、を含むことを特徴とする。
【００１２】
本考案のマスクによると、フレキシブルシートは、更に、第３凹凸構造に対して斜めに設けられている第４凹凸構造を含み、第４凹凸構造は、第３凹凸構造の両側に設けられており、二つの組付け部と保持部の間に位置し、フレキシブルシートは、更に、押付部と保持部の間に横方向に沿って延びる折り皺を含むことを特徴とする。
【考案の効果】
【００１３】
本考案のマスクによれば、次のような効果がある。
（１）作製が容易となり、生産コストが低く、堅実で耐久性が良い。
【００１４】
（２）着用者の唾の飛散を有効に防止することが可能であり、着用者の口及び鼻を完全にカバーしないため、着用者は、順調に呼吸することが可能であり、はっきりと話すことが可能であり、長時間に着用しても居心地が良い。
【００１５】
（３）フレキシブルシートが一体成形されるため、生産が容易となり、生産コストを減少することが可能である。
【００１６】
（４）押付部の二つの凸部が顎の前側に安定的に押付けるため、着用時にマスクが左右に揺れない。
【００１７】
（５）保持部の第１面から突出する長さは、押付部の第１面から突出する長さよりも長いため、保持部は顎の下側に安定的に当接することが可能である。着用者が話しても、マスクが上方にスライドして着用者の顎から離脱することがない。
【図面の簡単な説明】
【００１８】
【図１】本考案の一実施例を示す斜視図である。
【図２】本考案の一実施例を示す背面図である。
【図３】本考案の一実施例を示す側面図である。
【図４】本考案の一実施例の使用状態を示す模式図である。
【図５】本考案の一実施例の使用状態を示す模式図である。
【考案を実施するための形態】
【００１９】
以下、本考案の実施の形態を図面に基づいて説明する。
図１から図５を参照する。本実施例のマスク１は、一体成形されるフレキシブルシート２を含む。フレキシブルシート２は、第１面２１と、第１面２１の反対側に位置する第２面２２と、を有する。第１面２１には、突出するように設けられている、着用者の顎５１（図５参照）の前側に当接する押付部２３と、着用者の顎５１の下側に当接する保持部２４と、が設けられている。保持部２４の第１面２１から突出する長さは、押付部２３の第１面２１から突出する長さよりも長い。押付部２３と保持部２４は中空である。押付部２３は、第２面２２へ開口する第１開口２３１を含む。保持部２４は、第２面２２へ開口する第２開口２４１を含む。フレキシブルシート２は、更に、二つの組付け部２５を含む。二つの組付け部２５は、それぞれ押付部２３と保持部２４の両側に位置する。
【００２０】
具体的には、フレキシブルシート２は透明なシートである。図４に示すように、着用者５がマスク１を着用しているときには、他人がフレキシブルシート２を透視して着用者５の表情を見ることが可能である。フレキシブルシート２は弾性を有することが好ましい。これにより、外力が加えられる前に、フレキシブルシート２はほぼ平板状を呈する。マスク１の第１開口２３１と第２開口２４１は、それぞれ別のマスク１の押付部２３と保持部２４を収容することが可能である。このように、多数のマスク１を重ねることが可能であるため、マスク１の収納及び運送が便利となる。フレキシブルシート２は、一体成形されるため、作製が容易となり、生産コストを大幅に減少することが可能である。
【００２１】
次に、本実施例のマスク１の使用方法を説明する。各組付け部２５には、耳５２（図４参照）に掛けるための着用具２７が設けられている。各組付け部２５は、穿孔２５１と、穿孔２５１を囲む第１凹凸構造６１と、を含むことが好ましい。各第１凹凸構造６１により、穿孔２５１の周囲が破裂し難くなる。各穿孔２５１に着用具２７が組み付けられている。本実施例では、各着用具２７が弾性付きバンドであることが好ましい。着用具２７により、各着用具２７が耳５２に掛けているときには、フレキシブルシート２が着用者の二つの耳５２へ曲がって、マスク１の押付部２３と保持部２４がそれぞれ着用者の顎５１の前側と下側に当接して、マスク１がスライドして落下することができない。マスク１のフレキシブルシート２が着用者の口及び鼻を遮蔽するため、着用者の唾の飛散を有効に防止することが可能である。もちろん、組付け部と着用具の組付け方法は、上記の方法以外の方法を採用してもよい。
【００２２】
本実施例では、押付部２３は、押付部２３の両端に位置する二つの凸部２３２と、二つの凸部２３２の間に位置する凹部２３３と、を含む。これにより、押付部２３の二つの凸部２３２が顎５１の前側に当接する。凹部２３３はほぼ円弧形を呈することが好ましい。これにより、凹部２３３の輪郭が顎５１の輪郭に合うため、凹部２３３が顎５１に良く押付けることが可能であり、着用されているマスク１が左右に揺れない。特に、保持部２４の第１面２１から突出する長さは、押付部２３の第１面２１から突出する長さよりも長いため、保持部２４は顎５１の下側に安定的に当接することが可能であり、着用者が話しても、マスク１が上方にスライドして着用者５の顎５１から離脱することはない。押付部２３の長手方向の長さは、保持部２４の長手方向の長さよりも大きいため、押付部２３の顎５１に押付ける力を分散することが可能であり、マスク１を着用しているときには、着用者がより快適である。そして二つの凸部２３２が顎５１の前側に安定的に押付けるため、マスク１が左右に揺れない。
【００２３】
フレキシブルシート２は、更に、少なくとも二つの組付け部２５と押付部２３の間に横方向に沿って延びる第２凹凸構造６２を含む。第２凹凸構造６２は押付部２３に平行する。第２凹凸構造６２により、フレキシブルシート２の二つの耳５２への曲がりが更に容易となる。
【００２４】
フレキシブルシート２は、更に、保持部２４を囲む第３凹凸構造６３を含む。第３凹凸構造６３の凹凸の方向は保持部２４に垂直する。第３凹凸構造６３により、フレキシブルシート２は、顎５１の下側へ容易に曲がることが可能であり、破裂し難い。一方、フレキシブルシート２は、更に、第３凹凸構造６３に対して斜めに設けられている第４凹凸構造６４を含む。第４凹凸構造６４は、第３凹凸構造６３の両側に設けられており、二つの組付け部２５と保持部２４の間に位置する。第４凹凸構造６４により、フレキシブルシート２の屈折が容易となり、フレキシブルシート２の破裂を防止することが可能である。
【００２５】
フレキシブルシート２は、更に、押付部２３と保持部２４の間に横方向に沿って延びる折り皺６５を含む。折り皺６５により、マスク１を着用したいときには、フレキシブルシート２を顎５１の下側へ容易に屈折することが可能である。このため、マスク１は、作製が容易となり、生産コストが低く、堅実で耐久性が良い。
【００２６】
なお、本考案は前記実施の形態に限定されるものではなく、本考案の趣旨に基づいて種々変形させることが可能であり、それらを本考案の実用新案登録請求の範囲から排除するものではない。
【産業上の利用可能性】
【００２７】
本考案は、マスクに適用することができる。
【符号の説明】
【００２８】
１    マスク
２    フレキシブルシート
５    着用者
２１    第１面
２２    第２面
２３    押付部
２４    保持部
２５    組付け部
２７    着用具
５１    顎
５２    耳
６１    第１凹凸構造
６２    第２凹凸構造
６３    第３凹凸構造
６４    第４凹凸構造
６５    折り皺
２３１    第１開口
２３２    凸部
２３３    凹部
２４１    第２開口
２５１    穿孔
【図１】
0003195913.tif 000003
【図２】
0003195913.tif 000004
【図３】
0003195913.tif 000005
【図４】
0003195913.tif 000006
【図５】
0003195913.tif 000007